(57)【要約】【課題】  横位置撮影でも縦位置撮影でも、容易な操作で照明装置の発光部をレンズ光軸直上に配置し、使用中の衝撃等で破損することのない照明装置を提供する。【解決手段】  電源２３と制御回路２１とを含む照明装置本体２と、発光管１２を含む発光部１とを備えた照明装置において、照明装置は、カメラのレンズ光軸に垂直な面内で前記発光部１を回転させる回転軸１４を含み、前記照明装置本体と前記発光部とを連結する支持腕１３と、前記発光部を前記レンズの光軸直上に配置する第一の配置を確定する第一配置確定部と、前記発光部を回転させることによりレンズの光軸直上に配置する第二の配置を確定する第二配置確定部とを有する。【選択図】      図２
2007279286.tif 000002
【特許請求の範囲】
【請求項１】
電源と制御回路とを含む照明装置本体と、発光素子を含む発光部とを備えた照明装置において、
カメラのレンズ光軸に垂直な面内で前記発光部を回転させる回転機構を含み、前記照明装置本体と前記発光部とを連結する支持腕と、
前記発光部を前記レンズの光軸直上に配置する第一配置を確定する第一配置確定部と、
前記発光部を回転させることにより前記レンズの光軸直上に配置する第二配置を確定する第二配置確定部と
を有することを特徴とする照明装置。
【請求項２】
請求項１記載の照明装置において、
前記第一の配置と第二の配置は、前記カメラのレンズ光軸に垂直な面内において、前記発光素子を９０度回転させた関係を有することを特徴とする照明装置。
【請求項３】
請求項１記載の照明装置において、
前記第一配置確定部は、前記支持腕と前記照明装置本体とを当接させる第一当たり部材であり、
前記第二配置確定部は、前記発光部と前記照明装置本体とを当接させる第二当たり部材であることを特徴とする照明装置。
【請求項４】
請求項１記載の照明装置において、
前記照明装置本体と前記支持腕、及び前記支持腕と前記発光部はそれぞれ連結部を介して着脱可能に構成され、
各連結部は同一規格であることを特徴とする照明装置。
【請求項５】
請求項１記載の照明装置において、
前記支持腕は、前記照明装置本体に固定される第一の腕と前記発光部に固定される第二の腕とを有し、
前記第一の腕と前記第二の腕は互いに摺動可能であって、前記支持腕全体の長さが変更可能であることを特徴とする照明装置。
【発明の詳細な説明】
【技術分野】
【０００１】
本発明は、カメラの被写体を照明する照明装置に関する。
【背景技術】
【０００２】
従来技術においては、撮影者がカメラを横位置に構えたとき及び縦位置に構えたときの双方において、照明装置の発光部がレンズ光軸の直上に配置され、被写体の影が被写体の背景部分等に写し出されないように、次のような工夫をしていた。
すなわち、カメラのホットシューに蝶番状部品を装着し、この蝶番状部品に照明装置を配置する。横位置撮影（通常撮影）時においては、ホットシューと照明装置の発光部とが横位置におけるレンズ光軸直上に配置される。縦位置撮影時は、蝶番状部品を１８０度回転（照明装置を９０度回転）させることにより、照明装置の発光部が縦位置におけるレンズ光軸直上に配置される（特許文献１参照）。
【特許文献１】実開昭５５−１３７１２８号公報
【発明の開示】
【発明が解決しようとする課題】
【０００３】
しかし、従来の照明装置は照明装置全体を回転移動させるものであり、照明装置に含まれる電源や制御回路等の重要部品も回転させる必要がある。そのため、横位置撮影から縦撮影位置への変更、またその逆も容易ではない。
また、照明装置の全重量が照明装置を支える部材の先端にかかるため、カメラのホットシューやグリップに大きな力が作用する。そのため、ホットシューの破損又はグリップ等の回転軸の破損に繋がりやすい。さらに、照明装置全体を支持する腕部に大きな強度が必要になり、使用中の衝撃等で破損する危険性がある。
【０００４】
本発明は、照明装置の発光部が横位置撮影でも縦位置撮影でも、容易な操作で照明装置の発光部をレンズ光軸直上に配置し、かつ使用中の衝撃等で破損することのない照明装置を提供することを目的とする。
【課題を解決するための手段】
【０００５】
請求項１記載の照明装置は、電源と制御回路とを含む照明装置本体と、発光素子を含む発光部とを備えた照明装置において、カメラのレンズ光軸に垂直な面内で発光部を回転させる回転機構を含み、照明装置本体と発光部とを連結する支持腕と、発光部をレンズの光軸直上に配置する第一配置を確定する第一配置確定部と、発光部を回転させることによりレンズの光軸直上に配置する第二配置を確定する第二配置確定部とを有することを特徴とする。
【０００６】
請求項２記載の照明装置は、請求項１記載の照明装置において、第一の配置と第二の配置は、カメラのレンズ光軸に垂直な面内において、発光素子を９０度回転させた関係を有することを特徴とする。
請求項３記載の照明装置は、請求項１記載の照明装置において、第一配置確定部は、支持腕と照明装置本体とを当接させる第一当たり部材であり、第二配置確定部は、発光部と照明装置本体とを当接させる第二当たり部材であることを特徴とする。
【０００７】
請求項４記載の照明装置は、請求項１記載の照明装置において、照明装置本体と支持腕、及び支持腕と発光部はそれぞれ連結部を介して着脱可能に構成され、各連結部は同一規格であることを特徴とする。
請求項５記載の照明装置は、請求項１記載の照明装置において、支持腕は、照明装置本体に固定される第一の腕と発光部に固定される第二の腕とを有し、第一の腕と第二の腕は互いに摺動可能であって、支持腕全体の長さが変更可能であることを特徴とする。
【発明の効果】
【０００８】
本発明によれば、照明装置の発光部が横位置撮影でも縦位置撮影でも、容易な操作で照明装置の発光部をレンズ光軸直上に配置し、かつ使用中の衝撃等で破損することのない照明装置を提供することができる。
【発明を実施するための最良の形態】
【０００９】
以下、添付の図面に示す一実施形態について説明する。
（第１の実施形態）
図１は、第１の実施形態の電気的構成を示すブロック図である。図１において、１は照明装置の発光部、２は照明装置本体、３はカメラボディである。発光部１は、フレネルレンズの幅を変えるためのズームモータ１１やキセノン管から成る発光管１２を備えている。照明装置本体２は、制御回路２１と発光管１２を発光させるための電荷を蓄積するコンデンサ２２と電源２３等を備えている。カメラボディ３は、照明装置本体２内の制御装置２１と通信を行うとともに、測光素子（不図示）や測距素子（不図示）等を制御する制御回路３１を備えている。発光部１と照明装置本体２とは接続コード１５によって電気的に接続され、照明装置本体２とカメラボディ３とは接続コード１６によって電気的に接続されている。接続コード１６はカメラボディ３側のホットシュー３２と接続される。
【００１０】
発光部１と照明装置本体２とカメラボディ３は、図１に示す電気的構成により、互いに連携して動作する。
図２は、第１の実施形態の照明装置をカメラボディ３の背面から視た説明図である。
照明装置本体２と発光部１は、支持腕１３と接続コード１５によって連結されている。支持腕１３は、回転軸１４を中心にして図中反時計方向に１８０度回転するように構成されている。さらに詳しくは、支持腕１３の屈曲形状と照明装置本体２の屈曲形状が合致するように形成されており、支持腕１３の回転は照明装置本体２において１８０度に制限される（例えば、図３（ａ）参照）。なお、支持腕１３が図中反時計方向に１８０度回転することにより、発光部１は図中反時計方向に９０度回転する。
【００１１】
照明装置本体２とカメラボディ３とは、接続コード１６とホットシュー３２とを介して電気的に接続されている。
また、照明装置本体２とカメラボディ３とは、アタッチメント４０を介して固定されている。アタッチメント４０は、スペーサ４１との配置関係により、発光部１とカメラボディ３との上下方向の相対距離を調整可能としている。これは、カメラボディ３を縦位置撮影する場合、レンズ光軸直上に発光部１を配置するためである。
【００１２】
なお、図示していないが、現在市販されている一般的な照明装置と同様に、支持腕１３を基準として、発光部１の上下方向への回転及び左右方向への回転（バウンス）を可能にする機構を備えてもよい。
図３は、横位置撮影から縦位置撮影に変換するときの支持腕１３の動作を示す説明図である。
【００１３】
図３は、高さが低いカメラボディ３に照明装置を装着した場合の例を示す。図３（ａ）に示す横位置撮影では、発光部１がレンズ３３の光軸上に位置している。図３（ｂ）に示す縦位置撮影移行時には、発光部１および支持腕１３が回転軸１４を中心に回動し、縦位置撮影における光軸直上に配置される。このとき、発光部１の長手方向（発光部１は異なる縦横比を有する）は、横位置時に比べて、光軸に対して９０度回転（支持腕１３は１８０度回転）した配置となっている。このように、カメラの横位置・縦位置に拘らず、発光部１が常にレンズ３３の光軸直上にあるようにすると、照明による影が常に被写体の下方に生じるため、画面が見苦しくならない。図３において、２４は当たり部材を示している。
【００１４】
図３（ｂ）に示すように、縦位置撮影の状態にしたとき、当たり部材２４と発光部１が接触する。すなわち、発光部１および支持腕１３は、回転軸１４と当たり部材２４とによって照明装置本体２に対して位置決めされる。これにより、回転軸１４にかかる負荷は、単に回転軸１４のみで支持される場合より軽減され、外部から大きな力が加わった場合の破損危険性を低減できる。
【００１５】
本実施形態では、当たり部材２４としてゴム等の部材を想定しているが、ラッチ機構などの機械的固定機構を用いれば、より高い固定力を得ることができる。
図４は、高さが高いカメラボディ３に照明装置を装着した場合の例を示す。カメラボディ３の高さに合わせて、スペーサ４１の位置を調整しているので、横位置撮影時と縦位置撮影時の双方において、レンズ３３の光軸中心と発光部１の中心を一致させることができる。
【００１６】
図５は回転軸１４近傍の機構を示す説明図である。回転軸１４には、凹部１７ａが形成され、基礎２７に支持されたバネ２６で押圧されるクリックボール２５が勘合している。クリックボール２５が勘合している状態では、回転軸１４は容易に回転せず、支持腕１３は半固定状態になっている。
支持腕１３の回転方向に力を加え、回転軸１４がクリックボール２５を押し下げる力がバネ２６の押圧力より大となると、バネ２６が収縮し、クリックボール２５が退避することで回転軸１３が回転可能となる。支持腕１３を１８０度回転させ、回転軸１４の反対側の凹部１７ｂにクリックボール２５が勘合すると、再びその状態で半固定状態となる。
【００１７】
また、照明装置本体２と支持腕１３とは、当たり部材２８を介して接触するように構成されている。図３及び図４に示す例と同様に、回転軸１４と当たり部材２８とで位置決めすることにより、安定した保持が可能になる。本実施形態では、当たり部材２４としてゴム等の部材を想定しているが、ラッチ機構などの機械的固定機構を用いれば、より高い固定力を得ることができる。
（第２の実施形態）
図６は、本発明の第２の実施形態を示す説明図である。第２の実施形態は、発光部１を照明装置本体２に対して着脱可能にしたものである。
【００１８】
図６（ａ）は支持腕１３を照明装置本体２と発光部１から取り外す状態を示している。図示するように、発光部１と支持腕１３と照明装置本体２は、それぞれ着脱可能に構成されている。着脱機構は、よく知られたアリミゾ方式、バヨネットマウント方式などを用いることができる。
図６（ｂ）は、照明装置本体２に発光部１を直接装着した状態を示す図である。
【００１９】
第２の実施形態によれば、回転する支持腕１３を介することなく、発光部１と照明装置本体２とを装着することができる。したがって、撮影姿勢の変更への対応はできなくなるが、機械的強度は向上する。
また、図６に示す着脱機構を備えることにより、発光部１を装着している支持腕１３を照明装置本体２から外し、撮影者が自らの手に支持腕１３を持つことによって、自由な位置から照明することが可能となる。また、使用中に支持腕１３が破損した場合にも、照明装置本体２に固定可能ならば、発光部１の固定ができず使用不可能になることを防止できる。
（第３の実施形態）
図７は、本発明の第３の実施形態を示す説明図である。第３の実施形態は、支持腕１３を伸縮可能にした例である。一般的なカメラは、アタッチメント４０とカメラボディ３の装着位置調整や、スペーサ４１の調整などによって、レンズ光軸中心と発光部１の中心を合致させることが可能である。しかし、特に大型のカメラを使用する場合においては、支持腕１３の長さを変更しないと、発光部１が光軸直上に位置しない。このため、支持腕１３を伸縮可能として、カメラボディ３の大きさに合わせて調整可能にした。支持腕１３ａに支持腕１３ｂが挿入される構成を取っており、必要に応じて伸縮することにより、発光部１の位置を調整することができる。
【００２０】
なお、支持腕１３ａと支持腕１３ｂは、発光部１の重みに耐える程度の摩擦を持って摺動する。また、支持腕１３ａと支持腕１３ｂとは、ネジやクリック機構等の部材によって固定可能に構成してもよい。
なお、以上の説明においては、発光部に発光管１２を用いたが、本発明はこれに限定されるものではなく、ＬＥＤ等を用いてもよい。
＜付記事項＞
以上の説明から明らかなように、大きさの異なる様々のカメラに対応し、横位置でも縦位置でも、光軸直上に発光部を配置可能で、しかも迅速に縦横を切り替えられる照明装置を実現することができる。
【００２１】
また、発光部と支持腕のみを回転させる方式なので、移動部分が軽く、操作が容易である。同時に、回転部材にかかる負荷（力量）が低減されるので、耐久性を向上させることができ、構造を簡素化したり軽量化を図ることができる。
また、発光部と照明装置本体を分離可能にすることで、より多様な使用方法に対応することができ、万が一支持腕が破損した場合でも、発光部を手で操作することによって対応することができる。
【産業上の利用可能性】
【００２２】
本発明はカメラの照明装置の分野において、産業上大いに利用することができる。
【図面の簡単な説明】
【００２３】
【図１】第１の実施形態の電気的構成を示すブロック図である。
【図２】第１の実施形態の照明装置をカメラボディの背面から視た説明図である。
【図３】横位置撮影から縦位置撮影に変換するときの支持腕の動作を示す説明図である。
【図４】横位置撮影から縦位置撮影に変換するときの支持腕の動作を示す説明図である。
【図５】回転軸近傍の機構を示す説明図である。
【図６】本発明の第２の実施形態を示す説明図である。
【図７】本発明の第３の実施形態を示す説明図である。
【符号の説明】
【００２４】
１…発光部、２…照明装置本体、３…カメラボディ、１２…発光管、１３、１３ａ、１３ｂ…支持腕、１４…回転軸、１５、１６…接続コード、１７ａ、１７ｂ…凹部、２１、３１…制御回路、２２…コンデンサ、２３…電源、２４、２８…当たり部材、２５…クリックボール、２６…バネ、３２…ホットシュー、３３…レンズ、４０…アタッチメント、４１…スペーサ
【図１】
2007279286.tif 000003
【図２】
2007279286.tif 000004
【図３】
2007279286.tif 000005
【図４】
2007279286.tif 000006
【図５】
2007279286.tif 000007
【図６】
2007279286.tif 000008
【図７】
2007279286.tif 000009